(57)【特許請求の範囲】
【請求項１】
吸入管に設けられたスロットルバルブ位置および過給圧を制御または調整することによって、過給可能な内燃機関の出力を制御または調整する方法において、
予め定めたシリンダ充填空気目標値（ｒｌｓｏｌ）から、スロットルバルブ（１０６）に対する設定量（ｗｄｋｓｏｌ）を導出し、
シリンダ充填空気目標値（ｒｌｓｏｌ）から吸入管圧目標値（ｐｓｓｏｌ）を求め、
吸入管圧目標値（ｐｓｓｏｌ）と、スロットルバルブ（１０６）における圧力低下を予め定める量（ｄｐｄｋ）とを結合することによって、過給圧目標値（ｐｌｓｏｌ）を導出することを特徴とする、
過給可能な内燃機関の出力を制御または調整する方法。
【請求項２】
前記シリンダ充填空気目標値（ｒｌｓｏｌ）を係数（ｆｕｐｓｒｌ）で除算することによって得られる商から前記吸入管圧目標値（ｐｓｓｏｌ）を導出し、
該係数は、エンジン回転数（ｎｍｏｔ）、エンジン温度（Ｔｍｏｔ）、および吸入された空気の温度（Ｔａｎｓ）に依存する、
請求項１に記載の方法。
【請求項３】
前記吸入管圧目標値に、残留ガスの分圧（ｐｒｇ）を加算的に重畳する、
請求項２に記載の方法。
【請求項４】
前記スロットルバルブ（１０６）における圧力低下に対する量（ｄｐｄｋ）を、エンジン回転数（ｎｍｏｔ）およびシリンダ充填空気目標値（ｒｌｓｏｌ）に依存して特性マップ（３０４）から読み出す、
請求項１に記載の方法。
【請求項５】
前記スロットルバルブ（１０６）における圧力低下に対する量（ｄｐｄｋ）は、エンジン回転数（ｎｍｏｔ）と、シリンダ充填空気目標値（ｒｌｓｏｌ）と実現可能な最大シリンダ充填空気値（ｒｌｍａｘ）との比とに依存して特性マップ（３０４）から読み出す、
請求項１に記載の方法。
【請求項６】
前記特性マップ（３０４）から読み出された値に補正係数（ｆｄｐｄｋ）を作用させ、
ダイナミックな走行モード中は、該補正係数を定常な走行モード中よりも高い値に設定する、
請求項４または５に記載の方法。
【請求項７】
前記補正係数（ｆｄｐｄｋ）を、ダイナミックな走行モード時は値１に設定し、定常的な走行モードへの移行時には、０と１との間にある値に減少して設定する、
請求項６に記載の方法。
【請求項８】
吸入管に設けられたスロットルバルブの位置および過給圧が制御または調整される、過給可能な内燃機関の出力を制御する装置において、
第１の手段（２０１，２０２）が設けられており、
該手段により、シリンダ充填空気目標値（ｒｌｓｏｌ）からスロットルバルブ（１０６）に対する設定量（ｗｄｋｓｏｌ）が導出され、
第２の手段（２０４）が設けられており、
該手段により、シリンダ充填空気目標値（ｒｌｓｏｌ）から吸入管圧目標値（ｐｓｓｏｌ）が導出され、
過給圧目標値（ｐｌｓｏｌ）が、吸入管圧目標値（ｐｓｓｏｌ）と、前記スロットルバルブ（１０６）における圧力低下を予め設定する量（ｄｐｄｋ）との結合（２０５）によって得られることを特徴とする
制御装置。
【発明の詳細な説明】
従来の技術
本発明は、吸入管に設けられたスロットルバルブの位置および過給圧を制御または調整することにより、過給可能な内燃機関の出力を制御または調整するための方法および装置に関する。
このような方法はドイツ連邦共和国特許第４３３０３６８号公開公報から公知である。この従来技術によれば過給圧およびスロットルバルブ位置は相互に無関係に、運転者の要望または走行速度調整器の設定値に応じてそれぞれ設定される。運転者の要望ないしは走行速度調整器の設定値の第１の領域においては、出力制御は主にスロットルバルブの位置に基づいて行われる。運転者の要望ないしは自動車速度調整器の設定値の第２の領域においては出力の設定は主に過給圧に基づいて行われる。また第１と第２の領域の間に第３の領域が存在することも可能であり、この領域においては運転者の要望に応じてスロットルバルブと過給圧を共に設定する。スロットルバルブ位置および過給圧と、走行ペダル設定の関係は、各動作状態において瞬時に出力と燃料消費に最適化なシリンダ充填とが達成されるように選択する。
本発明は、一方では良好な走行性能と、また他方では最適な効率を達成することが可能な、過給可能な内燃機関の出力の制御ないしは調整のための方法または装置を提供するという課題に基づいている。
発明の利点
本発明によれば、上記課題は請求の範囲第１項ないしは第８項の特徴により次のようにして解決される。ここでは所定のシリンダ充填空気目標値から、内燃機関の吸入管内のスロットルバルブに対する調整量を導出し、このシリンダ充填空気目標値から吸入管圧目標値を導出し、かつ過給圧目標値を、吸入管圧目標値とスロットルバルブにおける圧力低下を与える量とを関係づけることによって導出する。
スロットルバルブにおける圧力低下は簡単な方法で制御することができ、これにより運転者の要望に相応して走行性ないしは内燃機関の効率が最適化される、すなわち一方では極めてスポーティな走行モードを、また他方では極めて経済的な走行モードを可能とする。
本発明の有利な実施例は従属請求項に記載されている。
実施例の説明
図面に示した実施例により以下本発明を詳しく説明する。図１は、内燃機関の制御を説明する概略ブロック回路図を、図２はスロットルバルブ位置および過給圧の制御に対するブロック回路図を、図３は過給圧目標値の導出を示したブロック回路図を示している。
図１は内燃機関１００を示しており、この内燃機関は吸気管１０２および排気管１０４を有している。吸気管１０２には、−吸入された空気の流れの方向で見て−空気量すなわち空気質量ｍＬに対する測定センサ１０５、ターボ過給機のコンプレッサ１０８、過給圧ｐ２検出用の圧力センサ１１２、内燃機関１００によって吸入される空気の温度Ｔａｎｓを検出するための温度センサ１１０、および１つまたは複数の噴射ノズル１１３が設けられている。ターボ過給機のコンプレッサ１０８は、連結管１１４を介して排気管１０４に設けられたタービン１１６により駆動される。バイパス管１１８がタービン１１６をバイパスするように設けられている。このバイパス管１１８にはバイパス弁１２０が設けられており、この弁によってターボ過給機によって生成される過給圧を制御することができる。さらに内燃機関１００には、ノッキング状態の燃焼時にはノック信号Ｋを発生するノックセンサ１２２、回転数ｎｍｏｔ検出用の回転数センサ１２３、およびエンジンの温度Ｔｍｏｔ検出用の温度センサ１２４がある。内燃機関１００は例えば４つのシリンダ１２５を有し、このシリンダには１つずつ点火プラグが装着されている。
制御装置１２６には次のような信号が供給される。すなわち空気量測定器すなわち空気質量測定器１０５の信号ｍｌ、圧力センサ１１２の信号Ｐ２、吸入された空気の温度に対する温度センサ１１０の信号Ｔａｎｓ、ノックセンサ１２２の信号Ｋ、回転数センサ１２３の信号ｎｍｏｔ、エンジンの温度に対する温度センサ１２４の信号Ｔｍｏｔ、および走行ペダル値発生器１２８の信号αＰが供給される。制御装置１２６から出力されるのは、スロットルバルブ１０６の設定駆動装置１０７に対する信号ｗｄｋｓｏｌ、バイパス弁１２０の調整用の信号ｌｄｔｖ、および噴射ノズル１１３による燃料調量用の信号ｔｉである。
制御装置１２６は、図２に示した、スロットルバルブ位置および過給圧の制御ないしは調整用の回路を含んでいる。図２に示した制御装置ないしは調整装置への入力信号は、シリンダ充填空気目標値ｒｌｓｏｌである。この目標値は、種々異なる操作、例えば走行ペダル位置、速度調整、変速機調整、アンチスリップ調整その他に基づく回転モーメント設定値から計算される。シリンダ充填空気目標値ｒｌｓｏｌの導出は本発明の対象ではないため、ここでは詳細には触れない。シリンダ充填空気目標値ｒｌｓｏｌは結合点２０１に供給され、この点においてシリンダ充填空気目標値とシリンダ充填実際値ｒｌｉｓｔとの差分が求められる。このシリンダ充填実際値ｒｌｉｓｔ（エンジン負荷値とも称される）は、回路ブロック２０２においてエンジン回転数ｎｍｏｔおよび吸入された空気質量ないしは空気量ｍＬに依存して求められる。充填調整器２０３はシリンダ充填空気目標値ｒｌｓｏｌとシリンダ充填実際値ｒｌｉｓｔとの間の差分から、スロットルバルブ設定駆動装置１０７に対する制御信号を導出する。
シリンダ充填空気目標値ｒｌｓｏｌからは、過給圧を設定するバイパス弁１２０に対する制御信号ｌｄｔｖが同様に導出される。さらにシリンダ充填空気目標値ｒｌｓｏｌは、図３との関連においてさらに詳述する回路ブロック２０４に供給される。このブロックにおいてはエンジン回転数ｎｍｏｔ、エンジン温度Ｔｍｏｔ、および吸気温度Ｔａｎｓに依存して、シリンダ充填空気目標値ｒｌｓｏｌから、吸入管圧目標値ｐｓｓｏｌが導出される。この吸入管圧目標値ｐｓｓｏｌには、結合点２０５において、スロットルバルブにおける圧力低下に相応する信号ｄｐｄｋが重畳される。この信号ｄｐｄｋを、回路ブロック２０６において、シリンダ充填空気目標値ｒｌｓｏｌおよび他の量から導出する方法については、図３に基づいて説明する。
結合点２０５の出力信号は、過給圧目標値ｐｌｓｏｌに相応する。結合点２０７においては、この過給圧目標値ｐｌｓｏｌと過給圧実際値ｐｌｉｓｔとの間の差分が求められる。この過給圧実際値ｐｌｉｓｔは、回路ブロック２０８により圧力センサ１１２の測定信号ｐ２から導出される。過給圧目標値ｐｌｓｏｌと過給圧実際値ｐｌｉｓｔとの間の差分信号ｌｄｅは、過給圧制御器（例えばＰＩＤ制御器）２０９に供給され、この制御器は最終的にターボ過給機のバイパス弁１２０に対する設定値ｌｄｔｖを生成する。
スロットルバルブにおける圧力低下に相応する信号ｄｐｄｋにより、過給圧目標値ｐｌｓｏｌを吸入管圧目標値ｐｓｓｏｌに対して任意に増減することができる。すなわち例えば運転者の要望に基づいて、エンジンのダイナミックな動作が要求された場合には、値を良好な走行性へと設定し、過給圧目標値ｐｌｓｏｌを、吸入圧目標値ｐｓｓｏｌに対して増加させる。このような走行モードでは内燃機関は効率が良好でなく、経済的には作動していない。これに対してより良好な効率、すなわち定常運転が要求される場合には、信号ｄｐｄｋを、過給圧目標値ｐｌｓｏｌがほぼ吸入管圧目標値ｐｓｓｏｌに相応する程度まで減少させる。スロットルバルブにおける、制御可能な圧力低下ｄｐｄｋを利用することにより内燃機関を各々の走行モードへ迅速に適合させることができることがわかる。
図３からわかるように、吸入管圧目標値ｐｓｓｏｌは、除算器３０１においてシリンダ充填空気目標値ｒｌｓｏｌを係数ｆｕｐｓｒｌで除算することにより得られる。この係数ｆｕｐｓｒｌは、例えばエンジン回転数ｎｍｏｔ、エンジン温度Ｔｍｏｔ、および吸気温度Ｔａｎｓに依存して特性マップから導出することができる（図２のブロック２０４参照）。吸入管圧目標値ｐｓｓｏｌを得るために、結合点３０２において、シリンダ充填空気目標値ｒｌｓｏｌを係数ｆｕｐｓｒｌで除算することによって得られた商にさらに信号ｐｒｇを重畳することができる。この信号ｐｒｇは燃焼室内の残留ガスの分圧を示す信号である。排気終了と吸気開始との間の弁の交差により、残留ガスは燃焼室内に留まり、その圧力は約５０〜１５０ｍｂとなる。
図２との関連において既に説明したように、結合点３０３において吸入管圧目標値ｐｓｓｏｌには、スロットルバルブにおける圧力低下に表す信号ｄｐｄｋが重畳され、これによって最終的に過給圧目標値ｐｌｓｏｌが発生する。信号ｄｐｄｋはブロック３０４に記憶されている特性マップＤＦＤＰＤＫから取り出される。特性マップＫＦＤＰＤＫから取り出された信号ｄｐｄｋの値は、エンジン回転数ｎｍｏｔに依存し、また除算器３０５において形成された吸入目標値ｒｌｓｏｌと、実現可能な最大シリンダ充填空気値ｒｌｍａｘとの比に依存する。この実現可能最大シリンダ充填空気値ｒｌｍａｘは例えばエンジン回転数ｎｍｏｔ、ノックセンサ１２２から求められたエンジンのノック、エンジン温度Ｔｍｏｔ、吸気温度Ｔａｎｓ、および気圧の高さに依存する。
上に説明したように、スロットルバルブにおける圧力低下を表す信号ｄｐｄｋを走行モードにきわめて柔軟に適合させることが可能となるように、特性マップＫＦＤＰＤＫの出力信号は、結合点３０６において、回路ブロック３０７で生成された補正係数ｆｄｐｄｋと乗算的に結合される。この回路ブロック３０７に対する入力信号は、補正係数に対する最小値ＦＤＰＤＫＭＮ、時定数ＴＤＰＤＫおよびＯＲ回路３０８の出力信号である。このＯＲ回路はオーバーブーストアクティブを示す信号Ｂ＿ｌｄｏｂおよびオーバーブースト阻止時間を示す信号Ｂ＿ｌｄｏｂｓｐとの間のＯＲ結合を行う。運転者が走行ペダルを操作することによってダイナミックな走行モード、すなわちスポーティな走行モードの信号を報告し、ひいては２つの信号Ｂ＿ｌｄｏｂまたはＢ＿ｌｄｏｂｓｐの１つがＯＲ回路３０８に供給されると、回路ブロック３０７において補正係数ｆｄｐｄｋは値１に設定され、この回路ブロック３７は、この２つの信号の１つが供給されている限りはこの値１を保持する。走行が変化し、定常運転へと移行すると、回路ブロック３７は、補正係数ｆｄｐｄｋを時定数ＴＤＰＤＫと一緒に値１から、０と１との間にある最小値ＦＤＰＤＫＭＮへと下方に調整する。補正係数ｆｄｐｄｋを減少させることによって、吸入管圧目標値ｐｓｓｏｌに重畳される信号ｄｐｄｋも減少し、これによってスロットルバルブにおける圧力低下は戻り、内燃機関の効率を最適化するという目的に到達する。運転者が操作可能な操作要素（例えばスイッチ）によって、補正係数ｆｄｐｄｋを変更して、例えば特別にスポーティなモードに予め設定されるようにしてもよい。
【図１】
0003957756.tif 000002
【図２】
0003957756.tif 000003
【図３】
0003957756.tif 000004